Podtech/llm-jp-corpus-v4-ja_patent huggingface dataset:
(57)【要約】【課題】  従来の蒸気炊飯釜では釜内周の蒸気が直接当たる部分は蒸気圧でえぐられる上部の蒸気吹き出し孔は上下方向に形成され米粒等侵入しやすい蒸気は真直ぐ上がるため広がりは小さい、炊き込みご飯等混ぜるときはかなりの重労働で作業者は熟練を要する等問題があった。【解決手段】  蒸気を斜めに吹き出すように形成したことにより釜内周面の蒸気が直接当たる部分の蒸気の当たりは滑らかになりえぐれ方は改善され、吹き出し口を外周に設けたことにより米粒等の侵入を防止し、かつ吹き出した蒸気は広がる、また斜めに吹き出した蒸気は回転する力が付いた結果炊き込みご飯等混ぜるのが楽になり作業性は向上した。【選択図】  図１
2005131351.tif 000002
【特許請求の範囲】
【請求項１】
釜本体の底側から蒸気を吹き込んで、上部各段の蒸気吹き出し口から蒸気を斜めに吹き出して米などを炊き上げる蒸気炊飯釜において。
釜本体の底を円板状のベース部材により構成しベース部材の中心部に蒸気取り入れ用の孔を設け、前記ベース部材に同じく円板状でその上面の中央部が高くかつ中央部から周縁部に向かって徐々に低くなる蒸気吹き出し用プレートを固定し、
前記、蒸気吹き出し用プレートの各段に円形断面状の蒸気拡散用の空間を設け下段部の蒸気拡散用の空間と上段部の各蒸気拡散用の空間へ蒸気を供給する蒸気誘導孔を設け。
前記蒸気吹き出し用プレートの各段の蒸気拡散用空間の内周壁より外周に向けほぼ均一に点在するように蒸気吹出し口を斜めに多数形成し斜めに蒸気を吹き出すことを特徴とする蒸気炊飯釜。
【発明の詳細な説明】
【技術分野】
【０００１】  本発明は、蒸気炊飯釜に関する。
【背景技術】
【０００２】
【特許文献１】  特許第２７０５８９４号
【発明の開示】
【発明が解決しようとする課題】
【０００３】  従来の蒸気炊飯釜は、（例えば、特許文献１参照。）底部の蒸気の吹き出し方は真横に吹き出す構造になっているため釜本体内周面の蒸気が直接当たる部分は蒸気圧でえぐられる。
上部の蒸気吹き出し孔は上下方向に形成され米粒等侵入しやすく、なお吹き出した蒸気は、真直ぐ上がるため、蒸気の広がり方は小さく米等に当たる面積が狭く、熱効率は悪い  炊き込みご飯等をたくときはかなりの重労働で作業者は熟練を要する。
【課題を解決するための手段】
【０００４】  そして、本発明は上記目的を達成するために蒸気吹き出しプレート各段の蒸気拡散用空間の内周壁より、外周に向けほぼ均一に点在するように蒸気吹き出し口を、斜めに多数形成し蒸気を下段部の蒸気拡散用空間から徐々に上段部の蒸気拡散用空間へと蒸気誘導孔で蒸気を供給しながら、各段の蒸気拡散用空間の内周壁より蒸気吹き出し口から斜めに釜本体の内部へ蒸気に回転する力を付けて吹き出ように、構成したものである。
【発明の効果】
【０００５】  上述したように本発明は、蒸気吹き出し口を蒸気吹き出しプレートの各段の蒸気拡散用空間の内周壁より外周に向けほぼ均一に点在するように、蒸気吹き出し口を斜めに形成し蒸気は斜めに吹き出すことにより釜本体内周面の蒸気が直接当たる部分の蒸気の当たりは滑らかになりえぐれ方は改善され、米粒等の侵入を防止しなお蒸気は斜めから吹き出すことにより吹き出た蒸気は広がり米等に当たる蒸気の面積は広がる、また蒸気は斜めから吹き出すことにより蒸気に回転する力がつき炊き込みご飯等を炊くときの作業性が向上し、さらに効率よく効果を発揮するものである。
【発明を実施するための最良の形態】
【０００６】  以下、本発明の実旋の形態を図１−図６に基づいて説明する。【０００７】  本実旋例にかかる蒸気炊飯釜は蒸気で米等を炊き上げるもので釜本体３０の底に円板状のベース部材１により構成されており、ベース部材１の中心部には蒸気取り入れ用の孔９を設け蒸気取り入れ用孔９に蒸気供給用のパイプ２０の先端が取り付けられているベース部材１の周縁部に上方に突出する壁部１０が蒸気取り入れ用の孔９の外側周方向にほぼ等間隔で、上方へ突出する支持突起７，７と７の間の突出しない部位が蒸気通り道８に一体形成されているベース部材１の壁部１０と支持突起７で蒸気吹き出しプレート２を支持しボルトで固定されている。
【実旋例】
【０００８】  図１図２および図３図６に示すように蒸気供給パイプ２０から供給された蒸気はベース部材１の蒸気取り入れ用の孔９より蒸気通り道８を通り。蒸気吹き出しプレート２の下部段の蒸気拡散用空間３へ供給される、供給された蒸気は蒸気吹き出しプレート２の下段の蒸気拡散用の空間３の内周壁１１より外周方向にほぼ均一に、斜めに多数形成された蒸気吹き出し口５から釜本体３０の内部へ斜めから蒸気に、回転する力をつけながら吹き出す。残りの蒸気は蒸気誘導孔４を通って上段部の蒸気拡散用空間３へと供給される、供給された蒸気は、前記と同じく蒸気拡散用空間３の内周壁１１より蒸気吹き出し口５から釜本体３０の内部へ、斜めから蒸気は回転する力を付けながら蒸気を吹き出す残りの蒸気は蒸気誘導孔４を通って上段部の蒸気拡散用空間３へと供給される。
前記この作業を繰り返しながら蒸気は徐々に蒸気吹き出しプレート２の上段部の蒸気拡散用の空間３へと蒸気を供給しながら釜本体３０の内部へ蒸気拡散用空間３の内週壁１１より蒸気吹き出し口５から蒸気を斜めから回転する力を付けて吹き出し、最終的に上部吹き出し孔１２から吹き出し釜本体３０内部全体に蒸気がいきわたる。
【０００９】  なお前記実旋例は図３−図４に示すように蒸気吹き出し口を斜めに形成したものを示したが、例えば全て真横に形成しても炊飯等は可能である。
【図面の簡単な説明】
【００１０】
【図１】  本発明の実旋例を示す蒸気炊飯釜の断面図である。
【図２】  同  蒸気吹き出しプレートと底部部材を組んだ断面図である。
【図３】  同  蒸気吹き出しプレートの底面図である。
【図４】  同  蒸気吹き出しプレートの上面図及び蒸気吹き出し口の一部をあらわしたものである。
【図５】  同  蒸気吹き出しプレートの正面図である。
【図６】  同  釜本体の底部部材の上面図である。
【符号の説明】
【００１１】  １  −  ベース部材
２  −  蒸気吹き出しプレート
３  −  蒸気拡散用空間
４  −  蒸気誘導孔
５  −  蒸気吹き出し口
６  −  蒸気吹き出し口壁
７  −  支持突起
８  −  蒸気通り道
９  −  蒸気取り入れ用孔
１０  −  壁部
１１  −  内周壁
１２  −  蒸気吹き出し孔
２０  −  蒸気供給用パイプ
３０  −  釜本体
【図１】
2005131351.tif 000003
【図２】
2005131351.tif 000004
【図３】
2005131351.tif 000005
【図４】
2005131351.tif 000006
【図５】
2005131351.tif 000007
【図６】
2005131351.tif 000008
(57)【要約】【課題】本発明は、従来は浴室内でシャワーを利用するときはあくまで水やお湯を身体にかける目的だけであった。せっかくリラックスできる浴室ではあるが従来のシャワーには他の機能はついていなかった。【解決の手段】そのため必要に応じて取り外し可能なマッサージゴムやブラシを付けたシャワーヘッドを提供する。【選択図】図１
2005131352.tif 000002
【特許請求の範囲】
【請求項１】
キャップ本体（１）の上部にマッサージ具の台座押え部（２）を設け、キャップ本体（１）の内側にネジ部（３）を設け、マッサージ具の台座（４）の表面に複数個の突起（５）を設けたマッサージシャワーヘッド。
【請求項２】
マッサージ具の台座（４）の表面の突起（５）をブラシ（６）にした請求項１記載のマッサージシャワーヘッド。
【発明の詳細な説明】
【技術分野】
【０００１】  本発明は浴室内で使用するもので、シャワーヘッドの先端部分を取り外し可能にし、そこにマッサージ用のゴムやブラシをはめ込み、従来のシャワーのみならずマッサージや身体洗いも可能な多目的なマッサージシャワーヘッドに関するものである。
【背景技術】
【０００２】  従来のシャワーヘッドは浴室では主に水やお湯を放出する目的だけであった。一部に身体洗いのブラシ付の物も見ることが出来る。
先行技術は、特許出願平１１−１９２１８３、特許出願平９−２１８９０４、特許出願平７−５０６８６、実用新案出願平７−１１６７９がある。
【発明の開示】
【発明が解決しようとする課題】
【０００３】そのためには次のような問題点があった。
（イ）従来のシャワーヘッドは主にお湯や水を放出するだけであった。
（ロ）浴室内でシャワーを浴びながら身体をマッサージやブラッシングするには別の用具を使用する必要があった。
（ハ）狭い浴室内ではマッサージ具やブラシ類は置き場にも制約を受けている。
本発明は以上の問題点を解決しようとするものである。
【発明が解決するための手段】
【０００４】  キャップ本体（１）の上部にマッサージ具の台座押え部（２）を設け、キャップ本体（１）の内側にネジ部（３）を設け、マッサージ具の台座（４）の表面に複数個の突起（５）を設けたマッサージシャワーヘッド。
又はマッサージ具の台座（４）の表面の突起（５）をブラシ（６）にしたマッサージシャワーヘッド。
【発明の効果】
【０００５】  シャワーヘッドにマッサージ用のゴムや身体を洗うブラシを装着させることにより、シャワーを浴びながらマッサージが可能になったり、身体のブラッシングが可能になる。
【発明を実施するための最良の形態】
【０００６】  以下本発明の実施の形態を説明する。
キャップ本体（１）の上部にマッサージ具の台座押え部（２）を設け、キャップ本体（１）の内側にネジ部（３）を設け、マッサージ具の台座（４）の表面に５−８個の先端が山形の突起（５）を設けたマッサージシャワーヘッド。
又はマッサージ具の台座（４）の表面の突起（５）をブラシ（６）にしたマッサージシャワーヘッド。
（イ）シャワーヘッドの先端部分を取り外し、中にドーナツ型のマッサージゴム又はブラシを入れる。
（ロ）次にはずしたキャップを上から閉める。
（ハ）外側からかぶせる方法であれば直接シャワーヘッドにかぶせる。
本発明は以上の構成によりなっている。
本発明を使用するときはシャワーヘッド本体にマッサージゴム及びブラシを装着する。
【図面の簡単な説明】
【０００７】
【図１】本発明の分解斜視図である。
【図２】本発明のキャップ本体の断面図である。
【図３】本発明の使用状態を示す斜視図である。
【図４】本発明の組み立てた状態を示した断面図である。
【図５】本発明の他の実施例を示した分解斜視図である。
【符号の説明】
【０００８】  １  キャップ本体
２  マッサージ具の台座押え部
３  ネジ部
４  マッサージの台座
５  突起
６  ブラシ
【図１】
2005131352.tif 000003
【図２】
2005131352.tif 000004
【図３】
2005131352.tif 000005
【図４】
2005131352.tif 000006
【図５】
2005131352.tif 000007
(57)【要約】【課題】栓体表面を無菌状態に維持することができると共に、雑菌や微小異物等が侵入するのを確実に防ぐことで衛生性がさらに向上する混注部材及び医療用具を提供すること。【解決手段】本体（３）に突設された筒体（４）に、スリット（５）を形成した栓体（２）を嵌挿し、前記栓体（２）の上部にキャップ（８）を被冠した混注部材において、  前記キャップ（８）の天面に密封部材（６）を固着した混注部材（１）。前記キャップ（８）天面の内側に形成された傾斜部（９）に密封部材（６）を固着した。【選択図】図１
2005131203.tif 000002
【特許請求の範囲】
【請求項１】
本体（３）に突設された筒体（４）に、スリット（５）を形成した栓体（２）を嵌挿し、前記栓体（２）の上部にキャップ（８）を被冠した混注部材において、
前記キャップ（８）の天面に密封部材（６）を固着したことを特徴とする混注部材（１）。
【請求項２】
前記キャップ（８）天面の内側に形成された傾斜部（９）に密封部材（６）を固着したことを特徴とする混注部材（１Ａ）。
【請求項３】
前記請求項１ないし２に記載の混注部材（１、１Ａ）を含むことを特徴とする医療用具。
【発明の詳細な説明】
【技術分野】
【０００１】
本発明は例えば輸液セット、採血セット、輸血セット、体外循環回路等の医療器具の途中に配置され、これらの医療器具に薬剤を混注もしくは採取したり、又は血液を採取もしくは注入する時に使用される混注部材であって、特にスリットを形成した栓体を有する混注部材の改良に関する。
【背景技術】
【０００２】
例えば特許文献１、特許文献２のように、薬液容器では、口部に嵌挿した栓体表面に、把手を備えた透明な密封部材（ラミネートフィルム）を熱溶着したものが多数市販されている。
【０００３】
ところで注射や薬剤混注の際に、鋭利な金属針を使用すると、その先端で外傷を受ける危険が大きいので、最近、先端が鋭利な金属針に代えて先端に丸みを帯びた形状を有する穿刺部材（以下、非鋭利な穿刺部材）が使用される傾向にある。
非鋭利な穿刺部材は、そのままでは、栓体を貫通しにくいので、栓体にスリットを入れて刺通抵抗を小さくして、刺し易くする工夫がされている。
しかしながら栓体が外気に触れると同時にスリットに雑菌や微小異物が入り込むことが懸念される。一度スリットに入り込んだ雑菌はアルコール綿等で栓体表面を消毒しても死滅させることができない。また一度スリットに入り込んだ微小異物も取り除くことができない。
【特許文献１】実用新案登録２５６４０１０号（図１から１０）
【特許文献２】実用新案登録２５５４７７８号（図１から１０）
【発明の開示】
【発明が解決しようとする課題】
【０００４】
解決しようとする問題点は、一度スリットに入り込んだ雑菌はアルコール綿等で栓体表面を消毒しても死滅させることができない、また一度スリットに入り込んだ微小異物も取り除くことができない点である。
【課題を解決するための手段】
【０００５】
そこで本発明者は鋭意検討を重ねた結果、次の発明に到達した。
［１］本発明は、本体（３）に突設された筒体（４）に、スリット（５）を形成した栓体（２）を嵌挿し、前記栓体（２）の上部にキャップ（８）を被冠した混注部材において、
前記キャップ（８）の天面に密封部材（６）を固着した混注部材（１）を提供する。
［２］本発明は、前記キャップ（８）天面の内側に形成された傾斜部（９）に密封部材（６）を固着した混注部材（１Ａ）を提供する。
［３］本発明は、前記［１］ないし［２］に記載の混注部材（１、１Ａ）を含む医療用具を提供する。
【発明の効果】
【０００６】
本発明の混注部材１、１Ａでは、密封部材６により、栓体２表面を無菌状態に維持することができると共に、栓体２のスリット５に雑菌や微小異物等が侵入するのを確実に防ぐことができるので、衛生性がさらに向上する。
【発明を実施するための最良の形態】
【０００７】
図１は本発明の混注部材１の一例を示す概略図、図２は図１のＡ−Ａ’断面図、図３は本発明の混注部材１の一例を示す概略図、図４は図３のＡ−Ａ’断面図である。
図１の混注部材１は、本体３に突設された筒体４に、スリット５を形成した栓体２を嵌挿し、前記栓体２の上部にキャップ８を被冠した混注部材１であって、前記キャップ８の天面に密封部材６を固着したものである。
［栓体２のスリット５］
栓体２のスリット５は、図１に例示するように天面から底部に亘って形成したものである必要はなく、すくなくとも天面のみに形成されておれば良い。
栓体２の材質は、非鋭利な穿刺部材が貫通できる程度の弾性を有するものであれば何でも良い。
［キャップ８］
キャップ８は図１に例示するように天面の中央部が開口し、例えば内壁面に溝Ｍまたは突起Ｔを形成して、筒体４外周（突起Ｔまたは溝Ｍを形成）に冠着できるものであれば何でも良い。
【０００８】
［密封部材６］
密封部材６は、シート、フィルム状のものが使用される。耐熱性に優れ、透明なものが好ましい。例えばラミネートフィルム、セロファンフィルム等が好ましい。
前記密封部材６とキャップ８の固着手段として、例えば熱溶着、接着等があるが、少なくともキャップ天面に確実に固定でき、密封部材６をキャップ８の天面から容易に剥すことができる手段であれば何でも良い。
また密封部材６は、栓体２の表面にできるだけ密着するようにするのが好ましい。これにより密封部材６の破損を防ぐことができる。仮に密封部材６と栓体２の表面に隙間が多く存在する場合、密封部材６に外圧がかると破損しやすくなるので好ましくない。
また図１に例示するように密封部材６の表面積は指で剥しやすいようにキャップ８の表面積より広く形成するのが良い。また密封部材６の外周ないし表裏に凹凸等を形成して、滑らないようにすることもできる。
【０００９】
また密封部材６は、図３及び図４に例示する混注部材１Ａのように、キャップ８天面の内側に形成された傾斜部９に固着するようにしても良い。
さらに密封部材６は、キャップ８の天面と傾斜部９の両方に固着しても良い。
【００１０】
本発明の混注部材１、１Ａは、輸液セット、採血セット、輸血セット、体外循環回路等の医療器具の構成部品の一部として幅広く使用することができる。
【図面の簡単な説明】
【００１１】
【図１】本発明の混注部材１の概略図
【図２】図１のＡ−Ａ’の断面図
【図３】本発明の混注部材１Ａの斜視図
【図４】図３のＡ−Ａ’の断面図
【符号の説明】
【００１２】
１、１Ａ  混注部材
２  栓体
３  本体
４  筒体
５  スリット
６  密封部材
８  キャップ
９  傾斜部
Ｔ  突起
Ｍ  溝
【図１】
2005131203.tif 000003
【図２】
2005131203.tif 000004
【図３】
2005131203.tif 000005
【図４】
2005131203.tif 000006
(57)【要約】 【課題】  着脱自在にしたキャップを紛失することがないようにし、しかも構造簡単で安価に提供できる印鑑付筆記具を提供するものである。【解決手段】  上部に印鑑３を有する筆記具本体１と、該印鑑３を保護するために着脱自在としたキャップ４とからなり、該キャップ４を筆記具本体１に紐状体５で連繋してある。【選択図】    図２
2005131921.tif 000002
【特許請求の範囲】
【請求項１】
上部に印鑑を有する筆記具本体と、該印鑑を保護するために着脱自在としたキャップとからなり、該キャップを筆記具本体に紐状体で連繋してある印鑑付筆記具。
【請求項２】
筆記具本体にクリップを設け、このクリップの取付け基部に透孔を形成する一方、キャップに突部を設けてこの突部に透孔を形成し、それぞれの透孔に紐状体を挿通してある上記請求項１に記載の印鑑付筆記具。
【請求項３】
上記紐状体が鎖である上記請求項１又は２に記載の印鑑付筆記具。
【請求項４】
筆記具本体とキャップとの衝合部の何れか一方にカム凸部を何れか他方にカム凹部を設け、これらカム凸部とカム凹部を嵌合させるようにしてある上記請求項１乃至３の何れかに記載の印鑑付筆記具。
【発明の詳細な説明】
【技術分野】
【０００１】
本発明は、浸透印、認印等の印鑑を筆記具の先端筆記部の反対端である筆記具の上部に設けてある印鑑付筆記具に関する。
【背景技術】
【０００２】
筆記具の上部に浸透印、認印等の印鑑を設けてあり、該上部に印鑑用保護キャップを設けて、着脱自在にした印鑑付筆記具は公知である（例えば特許文献１）。
また、キャップを筆記具上部に軸支して離脱しないようにし、印鑑を使用するときにキャップを回動開放して印鑑を露呈するようにした印鑑付筆記具も公知である（例えば特許文献２）。
【特許文献１】実開平５−３１９９２号公報
【特許文献２】特開平６−２３７６５号公報
【発明の開示】
【発明が解決しようとする課題】
【０００３】
上記特許文献１の先行例は、キャップを単に筆記具上部に着脱自在に被せるだけであるから、このキャップを紛失してしまうおそれがある。また、このキャップを紛失してしまうと印鑑が露呈したままとなるため、印鑑が他の物に付着し、他の物を汚してしまうおそれがあり好ましくないという課題がある。
また、上記特許文献２は、キャップの開閉操作のための構造が複雑となり、価格的にも安価に提供できないという課題がある。
本発明は、上記課題に鑑み、着脱自在にしたキャップを紛失することがないようにし、しかも構造簡単で安価に提供できる印鑑付筆記具を提供するものである。
【課題を解決するための手段】
【０００４】
そのために、本発明印鑑付筆記具は、上部に印鑑を有する筆記具本体と、該印鑑を保護するために着脱自在としたキャップとからなり、該キャップを筆記具本体に紐状体で連繋してある。
【０００５】
また、本発明印鑑付筆記具は、筆記具本体にクリップを設け、このクリップの取付け基部に透孔を形成する一方、キャップに突部を設けてこの突部に透孔を形成し、それぞれの透孔に紐状体を挿通してある。
上記紐状体が鎖であるとよい。
さらに、本発明印鑑付筆記具は、筆記具本体とキャップとの衝合部の何れか一方にカム凸部を何れか他方にカム凹部を設け、これらカム凸部とカム凹部を嵌合させるようにしてある。
【発明の効果】
【０００６】
本発明の印鑑付筆記具は、上部に印鑑を有する筆記具本体と、該印鑑を保護するために着脱自在としたキャップとからなり、該キャップを筆記具本体に紐状体で連繋してあるから、キャップを開放しても、このキャップは常に筆記具本体に繋がっており、紛失することがないし、印鑑を押して使用した後は確実にキャップを閉じて印鑑が他の物に付着し、他のものを汚すことがないようにできる効果がある。
【０００７】
また、筆記具本体にクリップを設け、このクリップの取付け基部に透孔を形成する一方、キャップに突部を設けてこの突部に透孔を形成し、それぞれの透孔に紐状体を挿通してあるから、紐状体を上記透孔に挿通することによって簡単にキャップを筆記具本体に連繋できる効果がある。
さらに、上記紐状体が鎖であるから、紐状体が切れキャップと筆記具本体の連繋が断たれるおそれを少なくできる利点がある。
また、本発明印鑑付筆記具は、筆記具本体とキャップとの衝合部の何れか一方にカム凸部を何れか他方にカム凹部を設け、これらカム凸部とカム凹部を嵌合させるようにしてあるから、キャップを筆記具本体に対して常に同じ位置に閉じることができ、キャップを開くときにも、軽くキャップを回動するだけで容易に開放することができる効果がある。
【発明を実施するための最良の形態】
【０００８】
図面に示した好ましい実施例により本発明の詳細を説明する。
図中１が筆記具本体で、この筆記具本体１には、その先端の筆記部２と反対側の上部に印鑑３を備えてある。この印鑑３は浸透印であっても認印であってもよい。筆記具本体１の上部には、該印鑑３を保護するためのキャップ４を着脱自在に設けてある。
本発明は、上記キャップ４を筆記具本体１に紐状体５で連繋してあることを特徴とするものである。この紐状体５は通常の紐でもよいが金属製の鎖が望ましい。
【０００９】
図示した実施例では、筆記具本体１にクリップ６を設けてあり、このクリップ６の取付け基部７に透孔８を形成してあり、一方、キャップ４には突部９を設け、この突部９にも透孔１０を形成し、金属製鎖からなる紐状体５をこれら透孔８と１０に挿通してその両端を連結してある。
【００１０】
図４に好ましい実施例が示してあり、筆記具本体１とキャップ４の衝合部の筆記具本体１側にカム凸部１１を設け、キャップ４側にカム凹部１２を設けてあり、これらカム凸部１１とカム凹部１２とを嵌合させてキャップ４を閉じるようにしてある。
これにより、キャップ４の位置決めを正確にすることができると共に閉じてあるキャップ４を開放する際にキャップ４を回動すると、カム凸部１１とカム凹部１２とのカム作用により、キャップ４の開放を容易にできる。
このカム凸部１１とカム凹部１２については、図示した実施例では三角状にしてあるが、これは半円状でもＵ字状であってもよい。
【図面の簡単な説明】
【００１１】
【図１】本発明印鑑付筆記具の正面図。
【図２】同じくその側面図。
【図３】キャップを開放した状態の本発明印鑑付筆記具の側面図。
【図４】別の実施例を示す正面図。
【符号の説明】
【００１２】
１  筆記具本体
２  筆記部
３  印鑑
４  キャップ
５  紐状体
６  クリップ
７  取付け基部
８  透孔
９  突部
１０  透孔
１１  カム凸部
１２  カム凹部  
【図１】
2005131921.tif 000003
【図２】
2005131921.tif 000004
【図３】
2005131921.tif 000005
【図４】
2005131921.tif 000006
(57)【要約】【課題】従来の将棋の駒を使った山崩しは、将棋専用の駒と盤を使うため、ゲームとしては単純で発展性が少なかった。【解決手段】山崩しゲーム専用に、様々な形をした数種類の駒と、駒で構成される山の範囲を限定したゲーム盤と、引くと指示が書いてあるカードを組み合わせ、ゲームを複雑にしてより楽しめるものとした。【選択図】図１
2005131420.tif 000002
【特許請求の範囲】
【請求項１】
円形や、三角、四角などの様々な多角形や、その他複雑な形にし、複数の色に分けられた、将棋の山崩しよりも数を増やした駒を使用するボードゲーム。
【請求項２】
駒で山を積んだときに、中央付近に山の範囲を円線で指定した木製の円盤を使用する請求項１記載のボードゲーム。
【請求項３】
指定の駒をとった時に引き、引いた本人や他のプレーヤーに指示が書かれているカードを使用する請求項１記載のボードゲーム。
【発明の詳細な説明】
【技術分野】
【０００１】  本発明は、駒で構成された山を崩さずに、プレーヤーが順番に駒を取り除いていくボードゲーム玩具に関するものである。
【背景技術】
【０００２】  従来の将棋の駒を使った山崩しは、将棋専用の駒と盤を使うため、ゲームとしては単純で発展性が少なかった。
【発明の開示】
【発明が解決しようとする課題】
【０００３】  以上に述べた従来の将棋の駒を使った山崩しでは、駒の形が同一のため、駒を積んだ時の山の形に変化が乏しく同じような形になりがちだった。それと駒の色のパターンが同じだった。また、駒を取り除く時の難易度が低くゲームとしての面白味が少なかった。【０００４】  将棋盤は将棋をするためのものであり、山崩しをするために意図されたものではなかった。【０００５】  将棋の山崩しでは、決められた順番どおりにプレイしていくだけで、ゲームに変化が少なかった。【０００６】  本発明は、このような従来あった問題を解決しようとするものであり、山崩し専用の駒や盤を使用して、より複雑で楽しめる山崩しゲームを実現することを目的とするものである。
【課題を解決するための手段】
【０００７】  そして、本発明は上記目的を達成するために、円形や、三角、四角などの様々な多角形や、その他複雑な形にし、複数の色に分けられた、将棋の山崩しよりも駒の数を増やしたものである。【０００８】  また、第２課題解決手段は、駒で山を積んだときに、中央に山の範囲を円線で指定した木製の円盤を使用したものである。【０００９】  また、第３課題解決手段は、指定の駒を取った時に引き、引いた本人や他のプレーヤーへの指示が書かれているカードを使用したものである。
【発明の効果】
【００１０】  上述したように本発明のボードゲームは、老若男女を問わず、誰でも遊ぶことができる。ゲームにおける相手との駆け引きを通じて、コミュニケーション能力を養う事ができる。また指先や聴覚を慎重に使うことにより集中力を高めて、脳の活性化および老人や身障者などに対するリハビリテーションになる。また、人数や能力の個人差によってハンディキャップを設定するなどしてルールを変えることで、自分達で遊びを創造する力が養われる。
【発明を実施するための最良の形態】
【００１１】  以下、本発明の実施の形態を図１〜４に基づいて説明する。【００１２】  図１〜４においては、１はゲーム盤、２は駒、３は指示カード、４は円線、５は駒を入れるカップ。【００１３】  以下、上記構成の動作を説明する。ゲーム盤１は円形であって中央に山の範囲を円線で指定した木製の板を使用する。円線内に駒２を積んで山を作る。【００１４】  駒２は、円形や三角形、四角形などの様々な多角形や、その他複雑な形にし、４〜７色の赤、青、黄、緑、白、黒など複数の色に分けられている。これらの駒３０〜８０個をカップ５に入れて、盤上に逆さに置いてそっとカップを取り外し、駒の山を作る。【００１５】  プレーヤーが決められた順番で、駒が倒れる事で発生する音がしないように指一本で移動させて、盤上から落として自分の持ち駒となり、その駒の数が得点となる。最終的に得点の多いものが勝者となる。【００１６】  指示カード３は、駒２の中にある指示カード用に色分けされた駒を取った時に引く事ができる。カードには、図４にある「利き手の反対で駒を取る」や「１回休み」や「他のプレーヤーから駒を奪う」などの指示が書かれており、カードを引いた際にプレーヤーがそれを実行する。
【図面の簡単な説明】
【００１７】
【図１】  本発明の実施形態を示すボードゲームの全体図
【図２】  同ボードゲームに使用する駒の図
【図３】  同ボードゲームに使用する駒を入れるカップの図
【図４】  同ボードゲームに使用する指示カードの図
【符号の説明】
【００１８】１  ゲーム盤
２  駒
３  指示カード
４  盤上の円線
５  駒を入れるカップ
【図１】
2005131420.tif 000003
【図２】
2005131420.tif 000004
【図３】
2005131420.tif 000005
【図４】
2005131420.tif 000006
(57)【要約】【課題】    現金、預金通帳、キャッシュカード、印鑑などを入れた財布を、縦、逆様、斜めにした状態でも家の中のいたるところに隠せるようにできる、へそくり対策及び防犯対策兼用型財布を提供する。【解決手段】    財布本体３の背面部に着脱テープ１を設け、固定用シート４の正面に粘着テープ２を設け、その背面部に着脱テープ１ａを設けたことを特徴とする。【選択図】    図１
2005131419.tif 000002
【特許請求の範囲】
【請求項１】
現金、預金通帳、カード類、印鑑などを保管するための財布本体３の背面部に着脱テープ１を設け、一方これと貼合する固定用シート４の片面に着脱テープ１ａを設け、この背面部に粘着テープ２を設けたへそくり対策及び防犯対策兼用型財布。
【請求項２】
着脱テープ１がマグネットシート５である、請求項１記載のへそくり対策及び防犯対策兼用型財布。
【発明の詳細な説明】
【発明の詳細な説明】
【発明が属する技術分野】
【０００１】  この発明は、主婦のへそくりや、新手の侵入方法によって起きている空き巣に対して、主婦やご老人でも容易に防犯対策がとれるようになるへそくり対策及び防犯対策兼用型財布に関するものである。
【発明が解決しょうとする課題】
【０００２】  従来より、縦・逆様・斜めの姿勢を保持できるへそくり対策兼空き巣対策専用の財布がなかったために、主婦は、あの手この手と知恵を絞ってへそくりを隠していた。また最近では、ピッキングやカム送りなど新手の侵入方法により多大な空き巣被害が多発している。
【課題を解決するための手段】
【０００３】  以下に、課題を解決するための手段を図面をもって説明する。
イ  現金、預金通帳、パスポート、カード類、印鑑などを保管するための財布本体３の背    面部に着脱テープ１を設ける。
ロ  一方、これと貼合する着脱テープ１ａの背面部には粘着テープ２を設けて財布を隠し    たいところに固定するための固定用シート４とした。
ハ  なお、財布本体３の着脱テープ１を設けているカバーの内部には、軽量で堅い安定板    を挿入しなくればならない。これは、紙幣、カード類、パスポートなど平面状のもの    を財布に入れた場合は問題は発生しなかったが、印鑑のような突起状のものを財布内    部に入れると財布の形状が丸みを帯びて財布側の着脱テープ面と固定用シート側の着    脱テープ面の貼合面積が少なくなり、貼合力が減少し財布の安定性を悪くするので安    定板を挿入して財布の変形を防ぎ固定力を保持しなくればならない。
【０００４】  財布本体３の背面部及び固定用シート４の背面部に設けた着脱テープ１を、マグネットシート５にする。効果面では、着脱テープ１と何ら変わらない。なお、安定板は挿入しなくればならない。
【発明の効果】
【０００５】  本発明は、現金、預金通帳、カード類、印鑑などを入れた財布を、縦・逆様・斜めの姿勢に関わらず容易に固定できるので、従来では全く隠すことができなかったところや想像もできないところにまでも貴重品が隠せるようになる。したがって、万一不幸にして空き巣に侵入されても、空き巣が侵入時に当たりをつけていたところや想定していたところに貴重品が隠されていなくれば、空き巣は探す時間がかかりすぎることになる。
この結果、空き巣がもっとも嫌う探す時間の延長や侵入時間がかかりすぎる為、盗みをあきらめざるおえなくなる大きな効果が発生する。このことから、空き巣被害を最小限にくいとめる効果と、へそくりを発見されて主婦が被害を受けるということに対する減少効果もある。また、本発明は、着脱テープやマグネットを使用しているだけなので、主婦やご老人でも簡単に扱える財布である。
【図面の簡単な説明】
【図１】  着脱テープを使用したことを示す細部斜視図である。
【図２】  マグネット・シートを使用したことを示す細部斜視図である。
【図３】  本発明の使用状態の一例を示す斜視図である。
【図４】  本発明の使用状態の一例を示す縦断面図である。
【符号の説明】
１  着脱テープ
２  粘着テープ
３  財布本体
４  固定用シート
５  マグネット・シート
【図１】
2005131419.tif 000003
【図２】
2005131419.tif 000004
【図３】
2005131419.tif 000005
【図４】
2005131419.tif 000006
(57)【要約】【課題】    金属たわしの食器用洗剤の保持能力を高めて、鍋の焦げ落とし効果を上げようとする。また、洗剤の使用量と無駄を減少する。【解決手段】    食器洗浄用のソフトスポンジ４の片面に設けられているハードスポンジ２の中央部分に開口部３を設け、この開口部３に球体の金属たわし１を挿入して固定する。【選択図】        図１
2005131418.tif 000002
【特許請求の範囲】
【請求項１】
食器洗浄用のソフトスポンジ４の片面に設けられたハードスポンジ２の中央部分に開口部３を設け、金属たわし１を挿入して固定した鍋の焦げ落とし用スポンジ。
【発明の詳細な説明】
【発明の詳細な説明】
【技術分野】
【０００１】  本発明は、球体にした金属たわしの２分の１を食器洗浄用スポンジに設けた開口部に挿入して固定し、金属たわしの洗剤の保持能力を高めて洗浄効果を上げた鍋の焦げ落とし用スポンジに関するものである。
【発明が解決しょうとする課題】
【０００２】  従来の金属たわしにおいては、液体洗剤及び研磨材入り洗剤の保持能力が低いために金属たわしや鍋の焦げ目に何度も洗剤を塗るために洗剤使用量の無駄が多かった。
【課題を解決するための手段】
【０００３】  食器洗浄用のソフトスポンジ４の片面に設けられているハードスポンジ２の中央部分に開口部３を設け、この開口部３に球体にした金属たわし１の２分の１を挿入して固定する。
この結果、液体洗剤や研磨材入り洗剤を金属たわしに塗っても金属たわし１は目が粗いので、洗剤はソフトスポンジ４に直ぐ染み込む。このことから、従来の金属たわしより洗剤の保持能力が増すので、洗剤の使用量及び無駄が減少する。洗浄効果は、従来と同じであるが、金属たわし１はソフトスポンジ４によって覆われているので、従来よりはるかに持ちやすくなっている。なお、コップや漆器のように傷をつけてはいけないものもソフトスポンジ４によって洗うことができる。
【発明の効果】
【０００４】  本発明は、以上説明したように構成されているので、以下に記載されるような効果を奏する。
【０００５】  金属たわしを食器洗浄用ソフトスポンジに設けたことにより、洗剤の保持能力が高まり洗剤の使用量や無駄が減少する。
【図面の簡単な説明】
【図１】ハードスポンジ中央部分に金属たわしを組み込んだ平面図である。
【図２】開口部を示す平面図である。
【図３】本発明を示す側面図である。
【図４】金属たわし挿入部を示す分解断面図である。
【符号の説明】
１  金属たわし
２  ハードスポンジ
３  開口部
４  ソフトスポンジ
【図１】
2005131418.tif 000003
【図２】
2005131418.tif 000004
【図３】
2005131418.tif 000005
【図４】
2005131418.tif 000006
(57)【要約】【課題】  接着剤の塗布と塗布した接着剤の加熱硬化を１工程で可能とし、工程数の削減、設備費の低廉化及び設備の設置スペースの縮小化を可能としたプリキュアヘムシーラ装置を提供する。【解決手段】  ロボットアームの先端に設けたシーラガン３により板金ワークの重ね合わせ部に熱硬化性の接着剤５を塗布するプリキュアヘムシーラ装置において、前記シーラガン３に前記塗布した接着剤５を加熱硬化させるための高周波加熱コイル６を併設し、この高周波加熱コイル６を昇降用サーボモータ８によって接着剤塗布面に対し任意の位置に昇降可能とした。【選択図】        図２
2005131483.tif 000002
【特許請求の範囲】
【請求項１】
ロボットアームの先端に設けたシーラガンにより板金ワークの重ね合わせ部に熱硬化性の接着剤を塗布するプリキュアヘムシーラ装置において、前記シーラガンに前記塗布した接着剤を加熱硬化させるための高周波加熱コイルを併設したことを特徴とするプリキュアヘムシーラ装置。
【請求項２】
請求項１に記載のプリキュアヘムシーラ装置において、高周波加熱コイルを昇降用サーボモータによって接着剤塗布面に対し任意の位置に昇降可能としたことを特徴とするプリキュアヘムシーラ装置。
【発明の詳細な説明】
【技術分野】
【０００１】
本発明は、板金ワークの重ね合わせ部に熱硬化性の接着剤を塗布するプリキュアヘムシーラ装置に関するものである。
【背景技術】
【０００２】
自動車の製造工場において、例えば、図３で示すドア１０の製造ではアウタパネル１１とインナパネル１２とを、その端縁のヘミング部の重ね合わせ部１３にプリキュアヘムシーラ装置で熱硬化性のエポキシ樹脂の接着剤５を塗布してシーリングしている。
【０００３】
従来では、図４（ａ）で示すようにシーリング装置１４によって接着剤５を塗布する第１工程と、図４（ｂ）で示すように加熱装置１５によって前記塗布した接着剤５を加熱硬化する第２工程とによる２工程を要していた。このような２工程では生産タクトが短い工程の場合は第１工程と第２工程とを分けざるを得なく、設備費がかさむと共に広い設備の設置スペースを必要としている問題があった。
【特許文献１】特開平０８−３１８１９２号公報
【特許文献１】特開平１１−１８５９４４号公報
【発明の開示】
【発明が解決しようとする課題】
【０００４】
本発明の目的は、接着剤の塗布と塗布した接着剤の加熱硬化を１工程で可能とし、工程数の削減、設備費の低廉化及び設備の設置スペースの縮小化を可能としたプリキュアヘムシーラ装置を提供することである。
【課題を解決するための手段】
【０００５】
上記の目的を達成するための本発明は、請求項１に記載の通り、ロボットアームの先端に設けたシーラガンにより板金ワークの重ね合わせ部に熱硬化性の接着剤を塗布するプリキュアヘムシーラ装置において、前記シーラガンに前記塗布した接着剤を加熱硬化させるための高周波加熱コイルを併設したことを特徴とするものである。
【０００６】
請求項２に記載の通り、上記プリキュアヘムシーラ装置において、高周波加熱コイルを昇降用サーボモータによって接着剤塗布面に対し任意の位置に昇降可能としたことを特徴とするものである。
【発明の効果】
【０００７】
本発明によると、シーラガンによる接着剤の塗布に追随して高周波加熱コイルにより接着剤を加熱硬化する１工程でシーリング作業が得られ、工程数の削減、設備費の低廉化及び設備の設置スペースの縮小化を可能とした効果を有しているものである。
【発明を実施するための最良の形態】
【０００８】
以下本発明を実施するための最良の形態について図面に基づいて説明する。図１において、１はロボットであり、２はロボットアームである。このロボットアーム２の先端にシーラガン３が設けられている。
【０００９】
図１のＡ部の拡大詳細図である図２に示すように、前記シーラガン３はノズル４を有しており、このノズル４により接着剤５を塗布する。本発明装置は前記シーラガン３に前記塗布した接着剤５を加熱硬化させるための高周波加熱コイル６を併設したものである。
【００１０】
前記高周波加熱コイル６は前記シーラガン３のノズル４と平行な軸線で昇降用サーボモータ８により昇降動するロッド７の下端に取り付けられており、接着剤５の塗布面に対し任意の位置に昇降可能としている。
【００１１】
本発明は上記の通りの構造であるから、図１で示すようにロボットアーム２を介してシーラガン３を治具上に位置決めされている板金ワークＷに接近させ、板金ワークＷの重ね合わせ部を図２で示すようにシーラガン３を矢印Ｂの方向に移動してノズル４により接着剤５を塗布する。
【００１２】
シーラガン３に併設されている高周波加熱コイル６は上記ノズル４が先行してこれに追随移動し、前記塗布した接着剤５を加熱硬化する。つまり、接着剤５の塗布と加熱硬化を同時に行うのである。
【００１３】
これにより、１工程で接着剤の塗布と塗布した接着剤の加熱硬化を可能とし、工程数の削減、設備費の低廉化及び設備の設置スペースの縮小化を可能したものである。
【００１４】
また、高周波加熱コイル６は、シーラガン３のノズル４と平行な軸線で昇降用サーボモータ８により昇降動するロッド７の下端に取り付けられており、接着剤５の塗布面に対し任意の位置に昇降可能としているため、ティーチにより接着剤５の加熱硬化に対して適正な位置に位置決めすることができ、高周波加熱による板金ワークＷの熱歪みを抑制し、熱歪みを矯正するための治具や作業を廃止する利点を有している。
【図面の簡単な説明】
【００１５】
【図１】本発明装置の全体を示す側面図
【図２】図１のＡ矢視部の拡大詳細図
【図３】プリキュアヘムシーラを施すワークの１例を示す図
【図４】従来のプリキュアヘムシーラ工程図
【符号の説明】
【００１６】
１    ロボット
２    ロボットアーム
３    シーラガン
４    ノズル
５    接着剤
６    高周波加熱コイル
７    ロッド
８    昇降用サーボモータ
【図１】
2005131483.tif 000003
【図２】
2005131483.tif 000004
【図３】
2005131483.tif 000005
【図４】
2005131483.tif 000006
(57)【要約】【課題】  従来と同様の医学的効果を有するとともに、還元力の保持力が高められたアルカリ性飲用水およびその製造方法を提供すること。【解決手段】  （１）Ｃａ、（２）Ｎａ、（３）Ｋ、（４）植物由来の生理活性物質を少なくとも含み、ｐＨが９〜１３であり、かつ酸化還元電位が１０ｍＶ以下であることを特徴とするアルカリ性飲用水。このアルカリ性飲用水は、原水を多段階に濾過し、生理活性物質を含む植物原料を浸漬させ、粉末化した卵殻を添加し、交流電流を流すことにより製造可能である。【選択図】  なし【特許請求の範囲】
【請求項１】
下記有効成分（１）〜（４）を少なくとも含み、ｐＨが９〜１３であり、かつ酸化還元電位が１０ｍＶ以下であることを特徴とするアルカリ性飲用水。
有効成分：
（１）Ｃａ
（２）Ｎａ
（３）Ｋ
（４）植物由来の生理活性物質
【請求項２】
原水を多段階に濾過する第１工程と、前記第１工程で得られた処理水に所望の生理活性物質を含む植物原料を浸漬させる第２工程と、前記第２工程で得られた処理水に粉末化した卵殻を添加し、一定時間放置する第３工程と、前記第３工程で得られた処理水に交流電流を流す第４工程とを有する、請求項１に記載のアルカリ性飲用水を製造する方法。
【発明の詳細な説明】
【技術分野】
【０００１】
本発明は、アルカリ性飲用水およびその製造方法に関するものである。
【背景技術】
【０００２】
従来から、水を電気分解して製造したアルカリ性の電解水に幾つかの医学的効果（例えば整腸作用）が存在すると報告され、現在、このようなアルカリ性電解水が数多く提案・市販されている。
例えば下記特許文献１には、溶存酸素量が３．０ｐｐｍ以下、かつ酸化還元電位が−３００ｍＶ以下であることを特徴とするアルカリ性電解水が開示されている。
【０００３】
【特許文献１】特開平９−９９２８７号公報
【発明の開示】
【発明が解決しようとする課題】
【０００４】
しかしながら、従来のアルカリ性電解水は、時間の経過とともに還元力が弱まり易く、この点に改善の余地がある。
したがって本発明の目的は、従来と同様の医学的効果を有するとともに、還元力の保持力が高められたアルカリ性飲用水およびその製造方法を提供することにある。
【課題を解決するための手段】
【０００５】
本発明者らは鋭意研究を重ねた結果、特定の元素および生理活性物質を含むとともに、特定のｐＨおよび酸化還元電位を有するアルカリ性飲用水が、前記課題を解決できることを見出し、本発明を完成することができた。
すなわち本発明は、下記有効成分（１）〜（４）を少なくとも含み、ｐＨが９〜１３であり、かつ酸化還元電位が１０ｍＶ以下であることを特徴とするアルカリ性飲用水を提供するものである。
有効成分：
（１）Ｃａ
（２）Ｎａ
（３）Ｋ
（４）植物由来の生理活性物質
【０００６】
また本発明は、原水を多段階に濾過する第１工程と、前記第１工程で得られた処理水に所望の生理活性物質を含む植物原料を浸漬させる第２工程と、前記第２工程で得られた処理水に粉末化した卵殻を添加し、一定時間放置する第３工程と、前記第３工程で得られた処理水に交流電流を流す第４工程とを有する、前記のアルカリ性飲用水を製造する方法を提供するものである。
【発明の効果】
【０００７】
本発明によれば、従来と同様の医学的効果を有するとともに、還元力の保持力が高められたアルカリ性飲用水およびその製造方法が提供される。
【発明を実施するための最良の形態】
【０００８】
以下、本発明をさらに詳細に説明する。
前記のように本発明のアルカリ性飲用水は、有効成分として、（１）Ｃａ、（２）Ｎａ、（３）Ｋおよび（４）植物由来の生理活性物質を少なくとも含有するものである。
本発明において、Ｃａは、アルカリ性飲用水中、１００〜２０００ｐｐｍ含まれるのが好ましい。同様に、Ｎａは１０〜１００ｐｐｍ、Ｋは１００〜５００ｐｐｍ含まれるのが好ましい。
【０００９】
また、本発明における植物由来の生理活性物質は、例えば漢方の原料として使用されている植物の抽出物等が挙げられる。なお、本発明でいう生理活性物質は、その構造が特定されている必要はない。例えば、漢方薬のように経験的に薬効が確認されている植物の抽出物を、生理活性物質としてそのまま本発明のアルカリ性飲用水に含有させることができる。また、下記でも説明するが、本発明のアルカリ性飲用水の製造工程において処理水に植物をそのまま浸漬させるなどの手段により、直接的に生理活性物質を飲用水中に拡散・抽出させてもよい。なお、使用される植物は、本発明のアルカリ性飲用水が、どのような医学的効果の提供を目的とするかによって適宜選択すればよい。
本発明のアルカリ性飲用水中の生理活性物質の存在量は、一般的に微量であり、特に制限されないが、飲用水としての味覚を損なわず、かつ人体への悪影響を及ぼさない範囲において適宜決定される。
【００１０】
また本発明のアルカリ性飲用水のｐＨは、９〜１３であり、かつ酸化還元電位は、１０ｍＶ以下であることが必要である。これらの条件を満たすことにより、本発明の効果を奏することができる。
【００１１】
次に、本発明のアルカリ性飲用水の製造方法について説明する。
本発明のアルカリ性飲用水は、前記有効成分（１）〜（４）が含まれ、また特定のｐＨおよび酸化還元電位条件を満たすことができれば、その製造方法は任意であるが、下記の製造方法を採用するのが好ましい。
【００１２】
本発明の製造方法における第１工程は、原水を多段階に濾過する工程である。
本発明で使用される原水は、例えば上水道水が好適に用いられる。また、多段階の濾過は、不純物や残留塩素の除去を目的に行なわれるものであり、例えば市販されている中空糸フィルター、カーボンフィルター、セラミックフィルター等を直列に接続し、そこに原水を加圧下通過させる等の公知の手段により行なうことができる。
【００１３】
第１工程で得られた処理水は、次に、所望の生理活性物質を含む植物原料を浸漬させる第２工程に施される。具体的には、生理活性物質を含む植物原料そのものを処理水中に浸漬させ、直接的に生理活性物質を処理水中に拡散・抽出させる；植物原料を乾燥させ、粉末化し、これを処理水に添加するなどの手段が採用できる。
【００１４】
続く本発明における第３工程は、第２工程で得られた処理水に粉末化した卵殻を添加し、一定時間放置する工程である。卵殻原料は、例えば鶏卵が挙げられる。また該一定時間とは、例えば一晩程度である。この第３工程は、Ｎａ、Ｋ、とくにＣａを飲用水に提供するとともに、飲用水をアルカリ性にする役割を担っている。
【００１５】
本発明における第４工程は、第３工程で得られた処理水に交流電流を流す工程である。この工程により、得られるアルカリ性飲用水の酸化還元電位を所望の値に設定することができる。第４工程は、例えば処理水の収容槽に２本の電極を入れ、所望の酸化還元電位が得られるまで、両電極間に交流電圧を印加することにより行なうことができる。
【００１６】
このようにして得られた本発明のアルカリ性飲用水は、濾過・加熱殺菌工程を経て製品となる。なお、前記各工程間に濾過・加熱殺菌工程を導入し、各種残渣物の除去および殺菌を適宜行なってもよい。
【産業上の利用可能性】
【００１７】
本発明のアルカリ性飲用水は、従来と同様の医学的効果を有するとともに、還元力の保持力が高められ、その医学的効果を長期間にわたり持続させることができる。
(57)【要約】【課題】  水中のアオコ等浮遊物を除去することと、底泥の硫酸塩還元菌等の嫌気性バクテリアの増殖を抑えること、無酸素状態の場所に酸素を供給し、好気性バクテリアを増やし、有機性汚濁物質の分解を促進し、底質の分解機能を高めることにより、水質や底質を積極的に無害化することのできる水質底質浄化装置を提供すること。【解決手段】マグネシウム系環境改善剤を収納した装置に汚濁水を強制的に流通させ、溶出したマグネシウム系環境改善剤を含む上昇流を対流循環させて、汚濁水の無害化を行うことを特徴とする。【選択図】  図１
2005131619.tif 000002
【特許請求の範囲】
【請求項１】
汚濁水中に設置したマグネシウム系環境改善剤を収納した装置と前記装置に底層汚濁水を強制的に流通させ、溶出した環境改善剤を含む上昇流を発生させる手段とを有することを特徴とする水質底質浄化装置。
【発明の詳細な説明】
【発明の詳細な説明】
【技術分野】
【０００１】  本発明は水質底質浄化装置に係わり、湖沼や人工池、釣堀、養殖場等に発生したアオコ等浮遊物を除去し水質の浄化を図るとともに、堆積した有機性汚濁物質の早期分解を促進したり、硫酸塩還元菌による硫化水素等有害ガスの発生を抑制したり、悪臭を除去する水質底質浄化装置に関する。
【背景技術】
【０００２】  従来から行われている水質底質の改善方法は、ヘドロを除去するか、曝気により酸素を供給するか、覆砂をするか、薬剤を直接撒布するという方法がとられていた。【０００３】  本発明はこれらの点に鑑みてなされたものであり、水中のアオコ等浮遊物を除去し、底泥の硫酸塩還元菌等の嫌気性バクテリアの増殖を抑えることと、水の循環により生態系を確立し、好気性バクテリアを増やし、有機性汚濁物質の分解を促進し、水質や底質を無害化することのできる装置を提供することを目的とする。
【課題を解決するための手段】
【０００４】前記目的を達成するために本発明の水質底質浄化方法は、マグネシウム系環境改善剤を撒布せず容器に収納し、この収納装置に汚濁水を強制的に流通させ、溶出したマグネシウム系環境改善剤を含む上昇流を対流循環させ、汚濁水の無害化を行うことを特徴とする。
【０００５】  また、本発明の水質底質浄化装置は、マグネシウム系環境改善剤を収納する装置と、当該装置に汚濁水を強制的に流通させ上昇流を起こす手段とを有することを特徴とする。
【０００６】  このように構成される本発明装置を本発明方法によって作動させることにより水質や底質を積極的に無害化することができる。
【０００７】  具体的には、マグネシウム系環境改善剤が溶出し、汚濁水の中のアオコ等浮遊物を付着沈降させ、また底質のｐＨを弱アルカリ性にすることにより、硫酸塩還元菌を含む嫌気性バクテリアの増殖を抑え、硫化水素を含む有毒ガスの発生、悪臭の発生を防止し、水の対流循環により太陽と風に晒された表層の水が水底に戻され、酸素が供給され好気性バクテリアが働いて、底質中の有機物の分解を促進させることができる。
【発明実施の形態】
【０００８】  以下、発明の実施の形態を図１により説明する。
【０００９】  図１は本発明の水質底質浄化装置の１実施形態を示している。
【００１０】  本実施形態の水質底質浄化装置においては、マグネシウム系環境改善剤５を収納する装置１を有している。マグネシウム系環境改善剤としては、水酸化マグネシウム、酸化マグネシウム等が挙げられる。この収納装置１は、スクリーン状又はメッシュ状等をなし、汚濁水が流通しやすい構造になっている。この収納装置１には、水底に固定するための固定脚２が付着している。収納装置１の上部には、強制対流翼３を備えた吸水ポンプ４と整流筒６を固着し、汚濁水が強制的な手段によって上昇し、対流循環されるように形成されている。
【００１１】  次に、本実施形態を本発明方法によって作動させて行う汚濁水に対する浄化方法を説明する。
【００１２】  まず、収納装置１にマグネシウム系環境改善剤５を供給する。続いて汚濁水強制対流手段の吸水ポンプ４を稼動させ汚濁水を収納装置１を通して上昇させる。
これにより溶出したマグネシウム系環境改善剤５がアオコ等浮遊物を付着沈降させ、汚濁水の浄化を施される。
【００１３】  このように本実施形態においては、溶出したマグネシウム系環境改善剤による浮遊物の付着沈降、水の対流循環による酸素の供給とが同時に進行することにより相乗効果が発生し、確実、かつ、スピーディーに、水質や底質の改善がおこなわれ、しかも安価である。
【００１４】  更に、マグネシウム系環境改善剤が汚濁水に含まれる底質のｐＨを弱アルカリ性にすることにより、硫酸塩還元菌を含む嫌気性バクテリアの増殖を抑え、硫化水素を含む有害ガスの発生並びに悪臭の発生をも防止し、水の対流循環により供給された酸素により好気性バクテリアが働いて、底質中の有機物の分解を促進させる。
【００１５】  なを、本発明は前記実施の形態に限定されるものではなく、必要に応じて変更することができる。
【発明の効果】
本発明の水質底質浄化装置は、このように構成され作用するものであるから、アオコ等浮遊物を除去することと、底泥の硫酸塩還元菌等の嫌気性バクテリアの増殖を抑えること、無酸素状態の場所に酸素を供給し、好気性バクテリアを増やし、有機性汚濁物質の分解を促進し、底質の分解機能を高めることにより水質や、底質を積極的に無害化することができる等の効果を奏する。
【図面の簡単な説明】
【図１】  本発明の水質底質浄化装置の実施形態を示す斜視図
【符号の説明】
１  収納装置
２  固定脚
３  強制対流翼
４  吸水ポンプ
５  マグネシウム系環境改善剤
６  整流筒
【図１】
2005131619.tif 000003